(57)【要約】【課題】美観性と趣味性を兼ね備え、携帯に便利で、大きな占有スペースを必要とせず、外部電源なしで充電できる、フィギュア充電器を提供する。【解決手段】この充電器は、特定の造形イメージの外観からなり、主要電池収納スペース、副電池収納スペースを有するフィギュア本体１と、一端が主要電池収納スペースに内設されて他端がフィギュア本体１の表面に露呈され、外部装置３０に使用するための差し込み口と、副電池収納スペースに内設され、差し込み口と電気的に接続される電池ケースと、差し込み口及び電池ケースと電気的に接続され、電池ケースの電力を安定的に外部装置３０に送出するための配線基板とを備えて構成される。【選択図】図１
0003181839.tif 000002
【実用新案登録請求の範囲】
【請求項１】
特定の造形イメージの外観からなり、主要電池収納スペース及び副電池収納スペースを有するフィギュア本体と、
一端が前記主要電池収納スペースに内設されるとともに、他端が前記フィギュア本体の表面に露呈され、外部装置に使用するための差し込み口と、
前記副電池収納スペースに内設され、前記差し込み口と電気的に接続される電池ケースと、
前記差し込み口と前記電池ケースと電気的に接続され、前記電池ケースの電力を安定的に前記外部装置に送出する配線基板と、
を備え、
前記配線基板に前記電池ケースと電気的に接続される正、負極接続部材が延設され、
前記副電池収納スペースの側面に前記電池ケースを入れるための開口部が設けられるとともに、前記開口部に当該開口部を閉じるためのフタ部材が設けられ、
前記電池ケースは、ホルダーケース部材、ケース底部、正極装置、負極装置、第１電気的接続部材、第２電気的接続部材、第３電気的接続部材、及び第４電気的接続部材から構成され、
前記ホルダーケース部材はケース頂部と前記ケース頂部の側面に等間隔に配置される２つの第１支持用側壁とにより形成され、前記ケース底部の側面に第２支持用側壁が設けられ、前記ケース底部が前記第１支持用側壁の自由端と係合されて、前記各第１支持用側壁と前記第２支持用側壁との間が区分されて電池を収納するのに用いる第１、第２、第３電池収納スペースが形成され、
前記正極装置は前記ケース頂部の前記第１支持用側壁と異なる側面に設けられ、
前記負極装置は前記正極装置に隣接し、前記第１、第２電池収納スペースの間にある前記第１支持用側壁に直面して設けられ、
前記第１電気的接続部材は前記ケース頂部と係合され、前記第１電池収納スペースに内設され、
前記第２電気的接続部材は前記ケース底部と係合され、一端が前記第１電池収納スペースに内設され、他端が前記第３電池収納スペースに延長され、
前記第３電気的接続部材は前記ケース頂部と係合され、一端が前記第２電池収納スペースに内設され、他端が前記第３電池収納スペースに延長され、
前記第４電気的接続部材は、一端が前記負極装置と接続されるように前記ケース頂部に設けられ、他端が前記第２電池収納スペースに内設され、前記ケース底部と係合される、ことを特徴とするフィギュア充電器。
【請求項２】
前記フィギュア本体は、頭部と、前記頭部の底部と連接される上半身部分と、前記上半身部分の底部と連接される下半身部分と、前記上半身部分の両側に前記上半身部分と連接される上肢部とから構成され、前記差し込み口は、前記頭部、前記上半身部分、前記下半身部分、前記上肢部のいずれか一つに設置可能であることを特徴とする請求項１に記載のフィギュア充電器。
【請求項３】
前記差し込み口は、ＵＳＢソケット、２．５ｍｍ径のコネクタ、３．５ｍｍ径のコネクタ、マイクロＵＳＢソケット、ミニＵＳＢソケットのいずれか一つであり、前記外部装置は、携帯電話、スマートフォン、ノートパソコン、タブレトＰＣ、ポケットＰＣ、デジタルカメラ、ＰＤＡ、ミュージックプレーヤー、携帯型ゲーム機のいずれか一つであることを特徴とする請求項１に記載のフィギュア充電器。
【請求項４】
前記ケース底部は、前記第１支持用側壁それぞれに対応して前記各第１支持用側壁が連接されるところにそれぞれ挿嵌凹部が設けられ、これに対して、前記各第１支持用側壁の前記各挿嵌凹部と連接されるところにそれぞれフック状保持部が設けられ、前記第２電気的接続部材に対応して前記ケース底部の一端に第１位置決め溝が、前記第２電気的接続部材に対応して前記ケース底部の他端に第２位置決め溝がそれぞれ配設され、前記第４電気的接続部材に対応して前記ケース底部の他端に第３位置決め溝が配設されることを特徴とする請求項１に記載のフィギュア充電器。
【請求項５】
前記正極装置の前記ホルダーケース部材を貫通した一端で、前記第１電気的接続部材に隣接する一端側の端縁に、前記第１電気的接続部材に挟装されることで固定される導電性シートが設けられ、前記負極装置は前記ケース頂部に螺接によって固定され、且つ、前記負極装置と前記第４電気的接続部材との接続位置に配置される前記第４電気的接続部材の一端に、前記負極装置の長手方向一端の周囲に係合可能なフックリングが設けられることによって、前記第４電気的接続部材の一端が前記ケース頂部と前記負極装置との間に挟まれることを特徴とする請求項１に記載のフィギュア充電器。
【請求項６】
前記ホルダーケース部材の前記第２支持用側壁が連接されるところに、前記ホルダーケース部材と前記第２支持用側壁とを安定的に連接させるための止めネジが設けられ、また、前記第２支持用側壁の一端で前記止めネジが接続されるところに、ネジ穴が設けられることを特徴とする請求項１に記載のフィギュア充電器。
【請求項７】
前記フィギュア本体の側面に光線発射装置と制御用スイッチが設けられ、前記光線発射装置は前記制御用スイッチと電気的に接続されることを特徴とする請求項１に記載のフィギュア充電器。
【考案の詳細な説明】
【技術分野】
【０００１】
本考案は、フィギュア充電器に関する。
【背景技術】
【０００２】
電子・ＩＴ産業が急速に発展するにつれ、携帯型電子製品は殆ど現代人々にとって生活に欠かせない身近なものとなりつつある。携帯電話、ミュージックプレーヤー、タブレト端末、デジタルカメラなどの携帯型電子製品はいずれも内蔵の充電池を主な電力供給源としている。いつでも使用可能な状態を保つために、使用者は電池が切れて使用できなくなることがないように、いつでも電池の残量に注意を払う必要がある。
【０００３】
ところで、携帯電話といえば、ここ数年で、すでに世界中で広く使用されているデジタル放送伝送システムとなった。ワイヤレスモバイル通信技術の急速な発展に伴って機能が多様化しつつある携帯電話はすでに日常生活に欠かせないものとなった。また、携帯電話によって人と人との距離が縮められるので、人間関係の距離感がより密接に絡んでいる。
【考案の概要】
【考案が解決しようとする課題】
【０００４】
それにしても、携帯電話では使用上受信電力を除き、電力供給こそが一番解決しにくい問題となっている。なぜなら、携帯電話を使用するときに、様々な機能を動作させるには充電式電池（二次電池）が必要で、電池が切れると機能が動作しなくなるからである。また、電池を充電するには充電台、ＡＣアダプタ式充電器、車載充電器などが必要になると同時に、電源のある場所でしか充電できないので、空間上の制限がある。この点で、ビジネスマンのような頻繁に外で活動する人は不便に感じるだろう。さらに、携帯電話は、一般の乾電池（一次電池）が用いられないうえに、乾電池及びその充電器によって充電することさえできない。しかも、多くの充電器は重くて携帯に不便である。したがって、いざという時に電源のない場所で、携帯電話の電池がちょうど切れたとしたら、補えないことになりかねない。
【０００５】
そこで、本考案はこのような問題点に鑑みなされたもので、美観性と趣味性を兼ね備え、携帯に便利で、大きな占有スペースを必要とせず、外部電源なしで充電できる、フィギュア充電器を提供すること、を目的とする。
【課題を解決するための手段】
【０００６】
上記問題点を解決して上記目的を達成するために、本考案のフィギュア充電器は、特定の造形イメージを外観とされ、且つ主要電池収納スペースと副電池収納スペースを有するフィギュア本体と、一端が前記主要電池収納スペースに内設されるとともに、反対端は前記フィギュア本体の表面に露呈され、且つ外部装置に使用させる差し込み口と、前記副電池収納スペースに内設され、且つ前記差し込み口と電気的に接続される電池ケースと、前記差し込み口と前記電池ケースと電気的に接続され、且つ前記電池ケースの電力を安定的に前記外部装置に送出する配線基板とを備え、当該配線基板には、前記電池ケースと電気的に接続される正、負極接続部材が延設され、前記副電池収納スペースの側面には、前記電池ケースを入れさせるための開口部が設けられ、前記開口部に対応するところには、さらに前記開口部を閉じ込めるためのフタ部材が設けられ、前記電池ケースは、ホルダーケース部材と、ケース底部と、正極装置と、負極装置と、第1電気的接続部材と、第2電気的接続部材と、第3電気的接続部材と、第4電気的接続部材から構成され、前記ホルダーケース部材はケース頂部と前記ケース頂部の側面に等間隔に配置される2つの第1支持用側壁から形成され、前記ケース底部の側面には第2支持用側壁が設けられ、且つ前記ケース底部が前記第1支持用側壁の自由端と係合されると同時に、前記第1支持用側壁と前記第2支持用側壁との間が区分されて電池を収納するのに用いられる第1、第2、第3電池収納スペースとされ、前記正極装置は前記ケース頂部の前記第1支持用側壁と異なる側面に設けられ、前記負極装置は前記ケース頂部の前記第1支持用側壁と異なる側面に設けられ、且つ前記正極装置に隣接し、しかも前記第1と第2電池収納スペースとの間にある前記第1支持用側壁に直面し、前記第1電気的接続部材は前記ケース頂部と係合され、且つ前記第1電池収納スペースに内設され、前記第2電気的接続部材は前記ケース底部と係合され、一端が前記第1電池収納スペースに内設され、反対端が前記第3電池収納スペースに延長し、前記第3電気的接続部材は前記ケース頂部と係合され、一端が前記第2電池収納スペースに内設され、反対端が前記第3電池収納スペースに延長し、前記第4電気的接続部材は、一端が前記負極装置と接続されるように前記ケース頂部に設けられ、反対端が前記第2電池収納スペースに内設され、且つ前記ケース底部と係合される、ことを要旨とする。
【０００７】
また、このフィギュア充電器は、各部に次のような構成を備えることが好ましい。
（１）前記フィギュア本体は、頭部と、前記頭部の底部と連接される上半身部分と、前記上半身部分の底部と連接される下半身部分と、前記上半身部分の両側に前記上半身部分と連接されるように設けられる上肢部から構成され、前記差し込み口は、前記頭部、前記上半身部分、前記下半身部分、前記上肢部などのいずれかの一項に設置可能である。
（２）前記主要電池収納スペースと前記副電池収納スペースは以下のように述べたいずれかの一項を呈して設置され、互いに連通する状態、又は互いに連通しない状態である。
（３）前述の外観とされる特定の造形イメージは以下のように述べたいずれかの一項であり、本物の人間、漫画又はアニメキャラクター、日用品、交通機関、体育用品、野菜、果物である。
（４）前記差し込み口は以下のように述べたいずれかの一項であり、USBソケット、2.5mm径のコネクタ、3.5mm径のコネクタ、マイクロUSBソケット、ミニUSBソケットであり、前記外部装置は以下のように述べたいずれかの一項であり、携帯電話、スマートフォン、ノートパソコン、タブレトPC、ポケットPC、デジタルカメラ、PDA、ミュージックプレーヤー、携帯型ゲーム機である。
（５）前記ケース底部はそれぞれの前記第1支持用側壁に対応して連接されるところにそれぞれ挿嵌凹部が設けられ、それに対して、前記第1支持用側壁と前記挿嵌凹部と連接されるところにそれぞれフック状保持部が設けられ、前記第2電気的接続部材に対応する前記ケース底部の一端に第1位置決め溝が、また、前記第2電気的接続部材に対応する前記ケース底部の他端に第2位置決め溝が、なお、前記第4電気的接続部材に対応する前記ケース底部の他端に第3位置決め溝が配置される。
（６）前記正極装置の前記ホルダーケース部材を貫通した一端で、前記第1電気的接続部材に隣接する一端側の端縁に、前記第1電気的接続部材に挟装されることで固定される導電性シートが設けられ、前記負極装置は、前記ケース頂部に螺接によって固定され、且つ、前記負極装置と前記第4電気的接続部材との接続位置に、前記負極装置の長手一端に周設可能なフックリングが設けられることによって、前記第4電気的接続部材の一端を前記ケース頂部と前記負極装置との間に挟ませられる。
（７）前記配線基板には、前記電池ケースと電気的に接続される正、負極接続部材が延設される。
（８）前記第2支持用側壁と前記ホルダーケース部材と連接されるところには、前記第2支持用側壁と前記ホルダーケース部材を安定的に連接させるための止めネジが設けられ、さらに前記第2支持用側壁と前記止めネジと接続されるところには、ネジ穴が設けられる。
（９）前記フィギュア本体の側面には光線発射装置が設けられ、当該光線発射装置は制御用スイッチと電気的に接続される。
【考案の効果】
【０００８】
本考案のフィギュア充電器によれば、上記の各構成により、次のような効果を奏する。
（１）本考案では、フィギュア本体と電池ケースと配線基板を組合わせて応用することにより、消費者に携帯に便利な利点、及びいつでも充電できる前提のもと、同時に特殊な造形を保つので、美観性と趣味性を兼ね備える。
（２）本考案では、フィギュア本体の応用を以ってポップなデザインの特徴を中に融け込むことにより、現在人々の追求するフィギュアブームにぴったり合うので、実用性を有するだけでなく収集価値がある。
（３）本考案では、電池ケースの応用により、携帯電話の電池が切れて使用できなくなるのが防止可能であり、携帯デバイスをいつでも使用可能な状態に維持できるという効果が生じる。
（４）本考案における電池ケースは係合又は螺接による組立て方を通して、迅速且つ便利に組立できる、材料の節約という効果に達する。そのほかにも、接触不良によるショート、又は外力の揺れによる電池の位置ずれなどの防止が可能である。
【図面の簡単な説明】
【０００９】
【図１】本考案の第１の実施の形態に係るフィギュア充電器を示す斜視図
【図２】同充電器の各部の構成を示す分解斜視図
【図３】同充電器の特に電池ケースの構成を示す分解斜視図
【図４】図２のＡ−Ａ線断面図
【図５】本考案の第２の実施の形態に係るフィギュア充電器を示す斜視図
【図６】同充電器の内部構造を示す斜視図
【図７】本考案の第３の実施の形態に係るフィギュア充電器を示す斜視図
【図８】同充電器の内部構造を示す斜視図
【図９】本考案の第４の実施の形態に係るフィギュア充電器を示す斜視図
【図１０】同充電器の内部構造を示す斜視図
【図１１】本考案のまた別の実施の形態に係るフィギュア充電器、特にフィギュア充電器に実装した光線発射装置及び制御用スイッチとその使用時の動作を示す図
【考案を実施するための形態】
【００１０】
次に、この考案を実施するための形態について図を用いて説明する。図２にフィギュア充電器の各部の構成を示し、図３にフィギュア充電器の特に電池ケースの構成を示している。図４に図２中のＡ−Ａ線の断面を示している。図６は図５に示すフィギュア充電器の内部構造を示し、図８は図７に示すフィギュア充電器の内部構造を示し、図１０は図９に示すフィギュア充電器の内部構造を示している。
【００１１】
図２に示すように、フィギュア充電器は、特定の造形イメージの外観からなり、主要電池収納スペース１０と副電池収納スペース２０とを有するフィギュア本体１と、一端が主要電池収納スペース１０に内設されて、反対の他端がフィギュア本体１の表面に露呈され、外部装置３０に使用するための差し込み口２と、副電池収納スペース２０に内設され、差し込み口２と電気的に接続される電池ケース３と、差し込み口２及び電池ケース３と電気的に接続され、電池ケース３の電力を安定的に外部装置３０に送出するための配線基板４とを備える。
副電池収納スペース２０の側面（この場合、下面）に、電池ケース３を入れるための開口部２０１が設けられ、開口部２０１に対応するところにこの開口部２０１を閉じるためのフタ部材５が設けられる。
電池ケース３は、図３に示すように、ホルダーケース部材３１と、ケース底部３２と、正極装置３３と、負極装置３４と、第１電気的接続部材３５と、第２電気的接続部材３６と、第３電気的接続部材３７と、第４電気的接続部材３８とにより構成される。
この場合、ホルダーケース部材３１は、ケース頂部３１１と、ケース頂部３１１の側面に等間隔に配置される２つの第１支持用側壁３１２とにより形成される。ケース底部３２は側面に第２支持用側壁３２１が設けられる。そして、これらホルダーケース部材３１の第１支持用側壁３１２の自由端とケース底部３２との係合組み立てにより、図４に示すように、各第１支持用側壁３１２と第２支持用側壁３２１との間が区分され、電池１００を収納するのに用いる第１、第２、第３電池収納スペース４０、５０、６０が設けられる。
正極装置３３は、図３に示すように、ケース頂部３１１の第１支持用側壁３１２と異なる位置に設けられる。
負極装置３４は、ケース頂部３１１の第１支持用側壁３１２と異なる側面に設けられ、且つ正極装置３３に隣接し、第１、第２電池収納スペース４０、５０の間にある第１支持用側壁３１２に直面して、設けられる。
第１電気的接続部材３５はケース頂部３１１と係合され、第１電池収納スペース４０に内設される。
第２電気的接続部材３６はケース底部３２と係合され、一端が第１電池収納スペース４０に内設され、反対の他端が第３電池収納スペース６０に延長される。
第３電気的接続部材３７はケース頂部３１１と係合され、一端が第２電池収納スペース５０に内設され、反対の他端が第３電池収納スペース６０に延長される。
第４電気的接続部材３８は、一端が負極装置３４と接続されるようにケース頂部３１１に設けられ、反対の他端が第２電池収納スペース５０に内設され、ケース底部３２と係合される。
【００１２】
このようにフィギュア充電器は、フィギュア本体１と電池ケース３と配線基板４を組み合わせてなり、消費者に携帯に便利な利点、及びいつでも充電できる前提で、同時に特殊な造形を保つので、美観性と趣味性を兼ね備える。
また、フィギュア本体１を有することで、このフィギュア本体１の中にポップなデザインの特徴を融け込ませることにより、現在の人々の追求するフィギュアブームにぴったり合うので、実用性を有するだけでなく収集価値もある。
さらに、電池ケース３を有することで、携帯電話の電池が切れて使用できなくなるのを防止でき、携帯デバイスをいつでも使用可能な状態に維持できるという効果がある。
その他、電池ケース３を有することで、消費者の携帯デバイスの電池が切れても、電池を買って取り替えることが容易にできる。したがって、いざという時に電源のない場所で、ちょうど携帯電話の電池が切れたとしても、電池ケース３を予備電源として使用できるので、非常に便利である。
なお、電池ケース３は係合又は螺接による組み立て方とすることで、この組み立て方を通して迅速且つ便利に組立でき、材料の節約という効果がある。その他にも、接触不良によるショート、又は外力の揺れによる電池の位置ずれなどの防止が可能である。
【００１３】
フィギュア本体１は、頭部１１と、頭部１１の底部と連接される上半身部分１２と、上半身部分１２の底部と連接される下半身部分１３と、上半身部分１２の両側に上半身部分１２と連接されるように設けられる上肢部１４とから構成され、差し込み口２は、頭部１１、上半身部分１２、下半身部分１３、上肢部１４などのいずれかの一つに設置可能である。
このような頭部１１、上半身部分１２、下半身部分１３、上肢部１４、差し込み口２の組み合わせにより、差し込み口２の位置を消費者の需要に従って変更可能なので、従来の充電器より消費者の目を引くことができる。
また、このようなフィギュア本体１の頭部１１、上半身部分１２、下半身部分１３、上肢部１４から組立てる設置方式により全体的にモジュール化されるので、メーカーにとっては容易に製造できるのみならず、簡単に外形を取り替えることもできる。これによりメーカーはビジネスタイミングを逃すことなく迅速に新しい形のフィギュアが出せるので、消費者の心をつかむことができる。その他、全体的にコストの削減もできる。したがって、単価が高すぎることによって消費者が買いたくなくなるのを避けることが可能である。
【００１４】
主要電池収納スペース１０と副電池収納スペース２０は、互いに連通する状態、又は互いに連通しない状態のいずれか一つを呈して設置される。
このような設置方式により、消費者がより手軽に且つ順調に電池ケース３を取替えることができ、違和感が生じかねるので質感を大幅に上げることが可能である。
【００１５】
外観とされる特定の造形イメージは本物の人間、漫画又はアニメキャラクター、日用品、交通機関、体育用品、野菜、果物のいずれかの一つである。
このような特定のイメージ及び外形により、フィギュア本体１の外観が多様化され、この多様性が消費者の目を引き、消費意欲を後押しする。
【００１６】
ケース底部３２は第１支持用側壁３１２それぞれに対応して各第１支持用側壁３１２が連接されるところにそれぞれ挿嵌凹部３２２が設けられ、これに対して、各第１支持用側壁３１２の各挿嵌凹部３２２と連接されるところにそれぞれフック状保持部３１３が設けられる。また、第２電気的接続部材３６に対応してケース底部３２の一端に第１位置決め溝３２３が配設され、また、第２電気的接続部材３６に対応してケース底部３２の他端に第２位置決め溝３２４が、第４電気的接続部材３８に対応してケース底部３２の他端に第３位置決め溝３２５がそれぞれ配設される。
このようなフック状保持部３１３と挿嵌凹部３２２との組み合わせ、及び第１位置決め溝３２３、第２位置決め溝３２４、第３位置決め溝３２５などの構造により、電池ケース３は接触不良によるショートを防止でき、また、迅速且つ便利に組み立てでき、材料の節約という効果があるので、全体的にコストを削減でき、外力の揺れによる電池の位置ずれ防止も可能である。また、第２電気的接続部材３６及び第４電気的接続部材３８の設置により、それぞれに対応する電池の一端に有効な接続と、十分な位置決め力を提供可能である。さらに、サイズの異なるコイルばねを以て、消費者にはどの端が電池の正極又は負極に対応するかが分かるようになる。一般的には、大コイルばねが負極に対応し、小コイルばねが正極に対応する。
【００１７】
正極装置３３のホルダーケース部材３１を貫通した一端で、第１電気的接続部材３５に隣接する一端側の端縁に、第１電気的接続部材３５に挟装されることで固定される導電性シート３３１が設けられる。負極装置３４はケース頂部３１１に螺接によって固定され、且つ、負極装置３４と第４電気的接続部材３８との接続位置に配置される第４電気的接続部材３８の一端に、負極装置３４の長手方向一端の周囲に係合可能なフックリング３８１が設けられることによって、第４電気的接続部材３８の一端がケース頂部３１１と負極装置３４との間に挟まれる。
このような正極装置３３と負極装置３４の設置及び実装により、電力の送出が便利になると同時に、正極パターンと負極パターンにより、消費者は正極と負極の位置を確実に把握でき、誤接続を防止可能である。また、負極装置３４とフックリング３８１の組み合わせにより、第４電気的接続部材３８がケース頂部３１１と負極装置３４との間に安定して位置決めされ、且つ電池１００に十分な位置決め力をより効果的に提供することが可能である。
【００１８】
配線基板４には、電池ケース３と電気的に接続される正、負極接続部材４１、４２が延設される。
この配線基板４により、電池ケース３の電力を、外部装置３０に対して充電する働きをする電流に変換可能である。また、配線基板４によって電力を送出する過程で、電池ケース３及び外部装置３０の機能を運用する働きが配線基板４によって保たれる。
【００１９】
ホルダーケース部材３１の第２支持用側壁３２１が連接されるところに、ホルダーケース部材３１と第２支持用側壁３２１とを安定的に連接させるための止めネジ６が設けられ、また、第２支持用側壁３２１の一端で止めネジ６が接続されるところに、ネジ穴６１が設けられる。
このような止めネジ６とネジ穴６１の組み合わせ構造により、接触不良による短路という問題が解決できる。しかも、揺れによる電池１００の位置ずれ防止も可能で、低、中又は高震動の環境に適用する。
【００２０】
図１に第１の実施の形態に係るフィギュア充電器を示し、図５に第２の実施の形態に係るフィギュア充電器を示し、図７に第３の実施の形態に係るフィギュア充電器を示し、図９に第４の実施の形態に係るフィギュア充電器を示している。
図に示すように、外部装置３０は携帯電話、スマートフォン、ノートパソコン、タブレトＰＣ、ポケットＰＣ、デジタルカメラ、ＰＤＡ、ミュージックプレーヤー、携帯型ゲーム機のいずれか一つである。
また、差し込み口２はＵＳＢソケット、２．５ｍｍ径のコネクタ、３．５ｍｍ径のコネクタ、マイクロＵＳＢソケット、ミニＵＳＢソケットのいずれか一つである。
このように異なる差し込み口２を用いることにより、多様性があって異なる外部装置３０に合わせることができるので、消費者が差し込み口２の方式を自由に選択できることが応用での不便さを解消することにつながると同時に、製品が差別化されているため、消費者にとってはより多くの選択肢を持てるようになり、企業側では市場の拡大を図ることができる。
【００２１】
図１１にフィギュア充電器に実装した光線発射装置及び制御用スイッチとその使用時の動作を示している。
図１１に示すように、フィギュア本体１の側面には光線発射装置７と制御用スイッチ８が設けられ、光線発射装置７は制御用スイッチ８と電気的に接続される。
この光線発射装置７と制御用スイッチ８により、充電器として使用できるだけでなく、懐中電灯、偽札検出ペン、レーザーポインターなどとしても利用可能である。
【００２２】
以上の説明から明らかなように、この考案によれば、フィギュア本体１、差し込み口２、電池ケース３、配線基板４、及び外部装置３０の組み合わせにより、美観性と趣味性を兼ね備え、携帯に便利で、大きな占有スペースを必要とせず、外部電源なしで、外部装置３０に充電できるフィギュア充電器を提供することができ、このフィギュア充電器は従来の充電器ではできない応用方式さえできるので、従来の充電器より応用性、実用性、効果性、産業上の利用性を有している。
【００２３】
なお、以上の各実施の形態は、本考案の構造と、特徴及び作用効果を説明するために用いられるものであり、新規性や進歩性といった要件を満たしているため、法律の規定による実用新案登録出願を行う。また、上述では本考案の好ましい実施例を開示したに過ぎず、それを以って、本考案の実用新案登録請求の範囲が制限されることは無く、本考案の思想を逸脱することない種々の改造やそれと同じ置き換えを行っても、それはすべて本考案の範囲に含まれるものである。
【符号の説明】
【００２４】
１  フィギュア本体
１１  頭部
１２  上半身部分
１３  下半身部分
１４  上肢部
２  差し込み口
３  電池ケース
３１  ホルダーケース部材
３１１  ケース頂部
３１２  第１支持用側壁
３１３  フック状保持部
３２  ケース底部
３２１  第２支持用側壁
３２２  挿嵌凹部
３２３  第１位置決め溝
３２４  第２位置決め溝
３２５  第３位置決め溝
３３  正極装置
３３１  導電性シート
３４  負極装置
３５  第１電気的接続部材
３６  第２電気的接続部材
３７  第３電気的接続部材
３８  第４電気的接続部材
３８１  フックリング
４  配線基板
４１  正極接続部材
４２  負極接続部材
５  フタ部材
６  止めネジ
６１  ネジ穴
７  光線発射装置
８  制御用スイッチ
１０  主要電池収納スペース
２０  副電池収納スペース
２０１  開口部
３０  外部装置
４０  第１電池収納スペース
５０  第２電池収納スペース
６０  第３電池収納スペース
１００  電池
【図１】
0003181839.tif 000003
【図２】
0003181839.tif 000004
【図３】
0003181839.tif 000005
【図４】
0003181839.tif 000006
【図５】
0003181839.tif 000007
【図６】
0003181839.tif 000008
【図７】
0003181839.tif 000009
【図８】
0003181839.tif 000010
【図９】
0003181839.tif 000011
【図１０】
0003181839.tif 000012
【図１１】
0003181839.tif 000013